【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
用紙を搬送する用紙搬送手段と、
前記用紙搬送手段によって搬送される用紙にインク滴を吐出して画像を描画するライン型のインクジェットヘッドと、
前記インクジェットヘッドによって画像が描画される時の前記用紙の搬送速度を用紙速度として検出する用紙速度検出手段と、
規定の用紙速度で搬送される用紙に対して前記インクジェットヘッドが描画する画像のドット配置データを取得するドット配置データ取得手段と、
用紙速度が変動しても一定の濃度で前記用紙に画像が描画されるように、前記用紙速度検出手段によって検出される用紙速度に応じて前記ドット配置データを修正するドット配置データ修正手段と、
前記ドット配置データに基づいて前記インクジェットヘッドの駆動を制御するヘッド駆動制御手段と、
を備えたことを特徴とするインクジェット記録装置。
【請求項２】
用紙速度ごとに前記ドット配置データの修正情報が記憶された修正情報記憶手段を備え、
前記ドット配置データ修正手段は、前記修正情報記憶手段に記憶された修正情報に基づいて前記ドット配置データを修正することを特徴とする請求項１に記載のインクジェット記録装置。
【請求項３】
前記修正情報は、入力画像の濃度に対する各用紙速度でのドットの出現率の関係を表した階調カーブの情報であることを特徴とする請求項２に記載のインクジェット記録装置。
【請求項４】
前記階調カーブは、用紙速度が速くなるほどサイズの小さいドットの出現率が上がるように設定される一方、用紙速度が遅くなるほどサイズの大きいドットの出現率が上がるように設定されることを特徴とする請求項３に記載のインクジェット記録装置。
【請求項５】
前記ドット配置データ修正手段は、前記用紙速度検出手段によって検出された用紙速度に対応した階調カーブの情報がない場合、その用紙速度の前後の速度における階調カーブの情報に基づいて前記ドット配置データを修正することを特徴とする請求項３又は４に記載のインクジェット記録装置。
【請求項６】
前記ドット配置データ修正手段は、あらかじめ設定された濃度以上の領域のドット配置データを修正することを特徴とする請求項１〜５のいずれか一項に記載のインクジェット記録装置。
【請求項７】
前記ドット配置データ修正手段は、ドットが隣接して打滴される領域のドット配置データを修正することを特徴とする請求項１〜５のいずれか一項に記載のインクジェット記録装置。
【請求項８】
前記ドット配置データ修正手段は、隣接して打滴されるドットのうち、周囲の上下左右４ドット又は８ドットが打滴される領域のドット配置データを修正することを特徴とする請求項７に記載のインクジェット記録装置。
【請求項９】
１つの画像を描画するときの前記用紙速度の変化量が第１の基準値以下の場合、前記ドット配置データ修正手段は、平均した用紙速度に応じて前記ドット配置データを修正することを特徴とする請求項１〜８のいずれか一項に記載のインクジェット記録装置。
【請求項１０】
１つの画像を描画するときの前記用紙速度の変化量が前記第１の基準値よりも小さい第２の基準値以下の場合、前記ドット配置データ修正手段は、複数の画像間で平均した用紙速度に応じて前記ドット配置データを修正することを特徴とする請求項９に記載のインクジェット記録装置。
【請求項１１】
用紙を搬送する用紙搬送手段と、
前記用紙搬送手段によって搬送される用紙にインク滴を吐出して画像を描画するライン型のインクジェットヘッドと、
前記インクジェットヘッドによって画像が描画される時の前記用紙の搬送速度を用紙速度として検出する用紙速度検出手段と、
前記インクジェットヘッドが前記用紙に描画する画像のドット配置データを取得するドット配置データ取得手段と、
規定の用紙速度で搬送される用紙に対して画像を描画するときの１ドット当たりの前記インク滴の吐出量の情報が記憶された吐出量情報記憶手段と、
用紙速度が変動した場合であっても一定の濃度で画像が描画されるための前記吐出量の修正情報が用紙速度ごとに記憶された修正情報記憶手段と、
前記用紙速度検出手段によって検出される用紙速度に応じて前記吐出量を修正する吐出量修正手段と、
前記吐出量の情報及び前記ドット配置データに基づいて前記インクジェットヘッドの駆動を制御するヘッド駆動制御手段と、
を備えたことを特徴とするインクジェット記録装置。
【請求項１２】
前記吐出量修正手段は、前記用紙速度検出手段によって検出された用紙速度に対応した吐出量の修正情報がない場合、その用紙速度の前後の速度における修正情報に基づいて前記吐出量を修正することを特徴とする請求項１１に記載のインクジェット記録装置。
【請求項１３】
前記インク滴の吐出量の情報は、前記インクジェットヘッドのアクチュエータに印加する駆動信号の波形の情報であり、前記修正情報は、前記駆動信号の波形の波高値、及び／又は、パルス幅を修正する情報であることを特徴とする請求項１１又は１２に記載のインクジェット記録装置。
【請求項１４】
前記吐出量修正手段は、あらかじめ設定された濃度以上の領域の吐出量を修正することを特徴とする請求項１１〜１３のいずれか一項に記載のインクジェット記録装置。
【請求項１５】
前記吐出量修正手段は、ドットが隣接して打滴される領域の吐出量を修正することを特徴とする請求項１１〜１３のいずれか一項に記載のインクジェット記録装置。
【請求項１６】
前記吐出量修正手段は、隣接して打滴されるドットのうち、周囲の上下左右４ドット又は８ドットが打滴される領域の吐出量を修正することを特徴とする請求項１５に記載のインクジェット記録装置。
【請求項１７】
１つの画像を描画するときの前記用紙速度の変化量が第１の基準値以下の場合、前記吐出量修正手段は、平均した用紙速度に応じて前記吐出量を修正することを特徴とする請求項１１〜１６のいずれか一項に記載のインクジェット記録装置。
【請求項１８】
１つの画像を描画するときの前記用紙速度の変化量が前記第１の基準値よりも小さい第２の基準値以下の場合、前記吐出量修正手段は、複数の画像間で平均した用紙速度に応じて前記吐出量を修正することを特徴とする請求項１７に記載のインクジェット記録装置。
【請求項１９】
前記用紙は帯状の連続紙であり、前記用紙搬送手段は、巻芯にロール状に巻回された用紙を繰り出し、所定の搬送経路を走行させて、巻芯にロール状に巻き取ることを特徴とする請求項１〜１８のいずれか一項に記載のインクジェット記録装置。
【請求項２０】
走行する用紙にライン型のインクジェットヘッドからインク滴を吐出させて画像を描画するインクジェット記録方法において、
規定の速度以外の速度で前記用紙が走行したときに前記用紙に描画される画像に生じる濃度変化を是正するためのドット配置データの修正条件を事前に取得し、
前記規定の速度以外の速度で前記用紙を走行させる場合は、前記修正条件に従って描画する画像のドット配置データを修正し、
修正したドット配置データに基づいてインクジェットヘッドを駆動し、
前記用紙に画像を描画することを特徴とするインクジェット記録方法。
【請求項２１】
走行する用紙にライン型のインクジェットヘッドからインク滴を吐出させて画像を描画するインクジェット記録方法において、
規定の速度以外の速度で前記用紙が走行したときに前記用紙に描画される画像に生じる濃度変化を是正するための１ドット当たりの前記インク滴の吐出量の修正条件を事前に取得し、
前記規定の速度以外の速度で前記用紙を走行させる場合は、前記修正条件に従って１ドットあたりのインク滴の吐出量を修正し、
修正した吐出量でインク滴が吐出されるようにインクジェットヘッドを駆動し、
前記用紙に画像を描画することを特徴とするインクジェット記録方法。
【請求項２２】
前記インクジェットヘッドのアクチュエータに印加する駆動信号の波形の波高値、及び／又は、パルス幅を修正して１ドット当たりのインク滴の吐出量を修正することを特徴とする請求項２１に記載のインクジェット記録方法。
【請求項２３】
前記用紙は帯状の連続紙であることを特徴とする請求項２０〜２２のいずれか一項に記載のインクジェット記録方法。
【手続補正２】
【補正対象書類名】明細書
【補正対象項目名】００３９
【補正方法】変更
【補正の内容】
【００３９】
請求項１６に係る発明は、前記目的を達成するために、前記吐出量修正手段は、隣接して打滴されるドットのうち、周囲の上下左右４ドット又は８ドットが打滴される領域の吐出量を修正することを特徴とする請求項１５に記載のインクジェット記録装置を提供する。
【手続補正３】
【補正対象書類名】明細書
【補正対象項目名】００４１
【補正方法】変更
【補正の内容】
【００４１】
請求項１７に係る発明は、前記目的を達成するために、１つの画像を描画するときの前記用紙速度の変化量が第１の基準値以下の場合、前記吐出量修正手段は、平均した用紙速度に応じて前記吐出量を修正することを特徴とする請求項１１〜１６のいずれか一項に記載のインクジェット記録装置を提供する。
【手続補正４】
【補正対象書類名】明細書
【補正対象項目名】０１０３
【補正方法】変更
【補正の内容】
【０１０３】
図示しない芯接合装置は、ウェブ２を巻き取る巻芯を切り替える際、巻き取り中のウェブ２を切断するとともに、切断したウェブ２の先端を新しい巻芯９２に接合する。これにより、ウェブ２を連続的に巻き取ることができる。
【手続補正５】
【補正対象書類名】明細書
【補正対象項目名】０２０５
【補正方法】変更
【補正の内容】
【０２０５】
補正関数は、たとえば、ウェブ２の搬送方向に対して読取画像を補正する１×ｎのフィルタ行列で構成し、ｎをウェブ２の読取時用紙速度に応じて決定する。すなわち、１画素の読取時間（露光時間）の間にウェブ２が移動する量に対応する長さだけの読み取り画素数となるｎを選択する（ただし、nは３以上の奇数）。
【手続補正６】
【補正対象書類名】図面
【補正対象項目名】図８
【補正方法】変更
【補正の内容】
【図８】
2012045836.tif 000001
【手続補正７】
【補正対象書類名】図面
【補正対象項目名】図１６
【補正方法】変更
【補正の内容】
【図１６】
2012045836.tif 000002
【手続補正８】
【補正対象書類名】図面
【補正対象項目名】図１７
【補正方法】変更
【補正の内容】
【図１７】
2012045836.tif 000003